(57)【要約】【課題】遊技機に付設した吸殻投入口に投入される吸殻を吸殻搬送装置により所定位置まで搬送し、該所定位置で吸殻搬送装置から落下する吸殻を吸殻回収部に回収する吸殻回収装置における、回収した吸殻の確実な消火、後処理の容易化、消火用の水の悪臭発生防止を図る。【解決手段】前記吸殻回収部Ａは、水を貯留する容器１２と、該容器の水貯留部の上方に設けられ前記吸殻搬送装置５から落下する吸殻を受ける網状体１３ａと、前記容器１２から吸い上げた水を前記網状体１３ａに上方から散布する散水装置１９とを具備する構成とする。【選択図】        図２
2004248994.tif 000002
【特許請求の範囲】
【請求項１】
遊技機に付設した吸殻投入口に投入される吸殻を吸殻搬送装置により所定位置まで搬送し、該所定位置で吸殻搬送装置から落下する吸殻を吸殻回収部に回収する吸殻回収装置において、前記吸殻回収部は、水を貯留する容器と、該容器の水貯留部の上方に設けられ前記吸殻搬送装置から落下する吸殻を受ける網状体と、前記容器から吸い上げた水を前記網状体に上方から散布する散水装置とを具備することを特徴とする吸殻回収装置。
【発明の詳細な説明】
【０００１】
【発明の属する技術分野】
この発明は、パチンコ等の遊技機周辺が煙草の灰で汚れたり、火を消し損じた吸殻から発生する煙で空気を汚したりすることを防ぐために、遊技者がたばこを吸い終えて捨てた吸殻を即座に回収する吸殻回収装置に関する。
【０００２】
【従来の技術】
上記吸殻回収装置として、複数設置される遊技機の前面に設けられた中空状の物置台の上面に所定間隔で吸殻投入口を形成し、物置台の内部には吸殻投入口から投入される吸殻を物置台の端部まで搬送する吸殻搬送装置を設け、該吸殻搬送装置で搬送されてきた吸殻を消火用の水が入った吸殻回収容器の中に落として回収するようにしたものがある。
【０００３】
【発明が解決しようとする課題】
この種の吸殻回収装置は、吸殻回収容器に回収された吸殻が水に浸った状態になるので、吸殻がばらばらになって後処理に困難をともなうとともに、煙草の成分が水に溶け出して悪臭を放つという問題点があった。また、吸殻の回収量が多くなりその一部が水面から出た状態になった場合には、燻って煙が発生するという問題点もある。これらの問題点を解決することが本発明の課題である。
【０００４】
【課題を解決するための手段】
上記課題を解決するために本発明は下記の構成とした。すなわち、本発明にかかる吸殻回収装置は、遊技機に付設した吸殻投入口に投入される吸殻を吸殻搬送装置により所定位置まで搬送し、該所定位置で吸殻搬送装置から落下する吸殻を吸殻回収部に回収する吸殻回収装置において、前記吸殻回収部は、水を貯留する容器と、該容器の水貯留部の上方に設けられ前記吸殻搬送装置から落下する吸殻を受ける網状体と、前記容器から吸い上げた水を前記網状体に上方から散布する散水装置とを具備することを特徴としている。
【０００５】
吸殻投入口に投入された吸殻を吸殻搬送装置が所定位置まで搬送する。該所定位置で、吸殻が吸殻搬送装置から吸殻回収容部に落下する。落下した吸殻は網状体に受けられる。そして、網状体上の吸殻に散水装置が水を散布する。これにより、吸殻を確実に消火する。回収した吸殻は網状体の上に水を切った状態に保持されるので、帯紙が解けて吸殻がばらばらになったり、吸殻の煙草成分が容器内の水に溶け出したりすることがない。
【０００６】
【発明の実施の形態】
以下、図面に表された実施の形態について説明する。図１はパチンコ店などの遊技場に設置される吸殻回収装置の全体構成を示す斜視図で、この吸殻回収装置１は、複数並設された遊技機（図示省略）にそれぞれ付設されている吸殻投入口２，…から投入された吸殻を一括して回収する構成になっている。
【０００７】
吸殻投入口２は、遊技機の前面側に設けられた細長い物置台３の上面に、各遊技機に対応させて等間隔で形成されている。この吸殻投入口２はドーム状のフード４で覆われており、吸いかけの煙草をその火部がフード４内に位置するように保持することにより、後述する排煙装置３０によって煙が吸殻投入口２から吸引されて周囲に漏れなくなる。
【０００８】
物置台３の内部は中空になっていて、その中空部に吸殻投入口２から投入された吸殻を物置台３の端部まで搬送する吸殻搬送装置５の搬送ベルト６が収容されている。吸殻搬送装置５は、モータ７で回転駆動される駆動ローラ８と自由回転する複数の回転ローラ９，…とに搬送ベルト６が掛けられており、駆動ローラ８を回転駆動して搬送ベルト６を所定方向に循環移動させるようになっている。吸殻投入口２から投入された吸殻は、搬送ベルト６の往路部に載せられて物置台３の端部まで搬送される。搬送ベルト６の往路終端部には、該ベルトに付着したガム等を強制的に除去するスクレーパ１０が設けられている。
【０００９】
搬送ベルト６の往路終端部の下方は、図２に示す吸殻回収部Ａになっている。吸殻回収部Ａには、四隅にキャスター１１ａ，…を備えた台車１１が設けられ、その上に上方が開口する水を入れた容器１２が載置されている。この容器１２の内側には、底部が網状体１３ａでできた吸殻回収籠１３が、その上端部を容器１２の上縁部に引っ掛けた状態で着脱自在に取り付けられている。容器１２に入れる水の量としては、吸殻回収籠１３の網状体１３ａよりも水面が低く（例えば１ｃｍ）なるようにする。
【００１０】
また、台車１１と一体の垂直な支持板１４に、ポンプ１５及びそれを駆動するモータ１６が取り付けられている。ポンプ１５には、容器１２の側壁にフィルター１７ａ付きの取水口１７ｂが開口する取水パイプ１７と、先端側に噴射ノズル１８ａを取り付けた散水パイプ１８とが接続されている。なお、取水パイプ１７は、中途部（容器１２の水面よりも高位）で上下に分離できるようになっている。これらで構成される散水装置１９により、取水口１７ｂから容器１２内の水を吸い上げて、その水を噴射ノズル１８ａより吸殻回収籠１３の網状体１３ａに上方から散布する。
【００１１】
搬送ベルト６の往路終端部まで搬送されてきた吸殻２０は、搬送ベルト６から落下して吸殻回収籠１３の中に落ち込む。その上から、散水装置１９により水が散布される。これにより、火のついたままの吸殻や燻っている吸殻が消火される。吸殻の落下位置に向けて水が噴射されるように噴射ノズル１８ａの角度を設定しておけば、消火が確実なものとなる。散布された水は、吸殻が吸った分を除き、網状体１３ａを通過して容器１２に戻る。このように、水を循環させて使用するので、水の消費量が少なくてすむ。
【００１２】
散水装置１９による水の散布は、常時行うようにしても、或いは一定時間ごとに間歇的に行うようにしてもよい。また、図３に示すように、搬送ベルト６から落下する吸殻２０を検出するセンサ２１を設け、このセンサの検出結果に基づき、吸殻回収籠１３に新たな吸殻が回収される場合にだけ水を散布するようにしてもよい。図の吸殻検出センサ２１はフォトセンサで、吸殻の落下経路を挟んで発光部２１ａと受光部２１ｂとを設けている。
【００１３】
回収された吸殻を処理するに際しては、吸殻回収部Ａのケースから台車１１ごと出し、取水パイプ１７を上下に分離してから、容器１２を台車１１から取り上げて、吸殻の廃棄や容器１２内の水の交換を行う。吸殻は吸殻回収籠１３に収容され水を切った状態になっているので、廃棄処理を行いやすい。また、吸殻が水に浸っていないことから、ニコチン等の煙草成分が水に溶け込まないので、悪臭の発生がほとんどなく、しかも廃水で周辺環境を汚染することが少ない。
【００１４】
排煙装置３０は、排気ホース３１の一方端を物置台３の中空部に接続し、他端を集塵機３２を介してブロア３３に接続している。ブロア３３を駆動することにより、吸殻投入口２のフード４内に篭った煙草の煙が、物置台３の中空部及び排気ホース３１を通じて集塵機３２に集められ、該集塵機でニコチンやタール分を除去した後、室外へ排気される。
【００１５】
【発明の効果】
以上の説明から明らかなように、この発明の吸殻回収装置によれば、網状体の上に回収された吸殻に散水装置で水を散布するので、未消火の吸殻を確実に消火することができ、また回収した吸殻が水を切った状態に保持されるので、吸殻の後処理が容易であり、さらに容器内の水が吸殻で汚染されないので、悪臭の発生がなく気分よく処理作業を行える。
【図面の簡単な説明】
【図１】吸殻回収装置の全体構成を示す斜視図である。
【図２】吸殻回収部の正面図である。
【図３】吸殻検出センサの取付状態を示す側面図である。
【符号の説明】
Ａ  吸殻回収部
１  吸殻回収装置
２  吸殻投入口
５  吸殻搬送装置
６  搬送ベルト
１２  容器（水貯留部）
１３  吸殻回収籠
１３ａ  網状体
１５  ポンプ
１８ａ  噴射ノズル
１９  散水装置
２０  吸殻
２１  吸殻検出センサ
【図１】
2004248994.tif 000003
【図２】
2004248994.tif 000004
【図３】
2004248994.tif 000005